【手続補正書】
【提出日】平成26年2月12日(2014.2.12)
【手続補正１】
【補正対象書類名】特許請求の範囲
【補正対象項目名】全文
【補正方法】変更
【補正の内容】
【特許請求の範囲】
【請求項１】
複数の電池の個別の電圧値を示す第１のアナログデータを第１のデジタルデータに変換する第１の変換器と、
前記複数の電池を流れる電流の電流値を示す第２のアナログデータを第２のデジタルデータに変換する第２の変換器とを備え、
前記第１のアナログデータと前記第２のアナログデータとは、同一タイミングで取得されたデータである監視装置。
【請求項２】
前記電池毎の温度を示す第３のアナログデータが、前記第１のアナログデータを検出する間隔より長い間隔で検出され、
前記第３のアナログデータが、前記第１および前記第２の変換器の何れか一方に供給される請求項１に記載の監視装置。
【請求項３】
前記第１のデジタルデータと、前記第２のデジタルデータとを対応づけて記憶する記憶部を備える請求項１または２に記載の監視装置。
【請求項４】
前記第１のデジタルデータと、前記第２のデジタルデータとを外部に送信する通信部を備える請求項１乃至３のいずれかに記載の監視装置。
【請求項５】
複数の電池の個別の電圧値を示す第１のアナログデータを第１のデジタルデータに変換する第１の変換器と、
前記複数の電池を流れる電流の電流値を示す第２のアナログデータを第２のデジタルデータに変換する第２の変換器と、
前記第１の変換器から供給される前記第１のデジタルデータと、前記第２の変換器から供給される前記第２のデジタルデータとに応じた制御を行う制御部とを備え、
前記第１のアナログデータと前記第２のアナログデータとは、同一タイミングで取得されたデータである監視制御装置。
【請求項６】
前記電池毎の温度を示す第３のアナログデータが、前記第１のアナログデータを検出する間隔より長い間隔で検出され、
前記第３のアナログデータが、前記第１および前記第２の変換器の何れか一方に供給される請求項５に記載の監視制御装置。
【請求項７】
複数の電池と、
前記複数の電池の個別の電圧値を示す第１のアナログデータを第１のデジタルデータに変換する第１の変換器と、
前記複数の電池を流れる電流の電流値を示す第２のアナログデータを第２のデジタルデータに変換する第２の変換器とを備え、
前記第１のアナログデータと前記第２のアナログデータとは、同一タイミングで取得されたデータである電源装置。
【請求項８】
複数の電池と、
前記複数の電池の個別の電圧値を示す第１のアナログデータを第１のデジタルデータに変換する第１の変換器と、
前記複数の電池を流れる電流の電流値を示す第２のアナログデータを第２のデジタルデータに変換する第２の変換器と、
前記第１の変換器から供給される前記第１のデジタルデータと、前記第２の変換器から供給される前記第２のデジタルデータとに応じた制御を行う制御部とを備え、
前記第１のアナログデータと前記第２のアナログデータとは、同一タイミングで取得されたデータである電源装置。
【請求項９】
第１の変換器と、第２の変換器とを備える監視装置における監視方法であり、
前記第１の変換器によって、複数の電池の個別の電圧値を示す第１のアナログデータが第１のデジタルデータに変換され、
前記第２の変換器によって、前記複数の電池を流れる電流の電流値を示す第２のアナログデータが第２のデジタルデータに変換され、
前記第１のアナログデータと前記第２のアナログデータとは、同一タイミングで取得されたデータである監視方法。
【請求項１０】
第１の変換器と、第２の変換器と、制御部とを備える監視制御装置における監視制御方法であり、
前記第１の変換器によって、複数の電池の個別の電圧値を示す第１のアナログデータが第１のデジタルデータに変換され、
前記第２の変換器によって、前記複数の電池を流れる電流の電流値を示す第２のアナログデータが第２のデジタルデータに変換され、
前記制御部によって、前記第１の変換器から供給される前記第１のデジタルデータと、前記第２の変換器から供給される前記第２のデジタルデータとに応じた制御が行われ、
前記第１のアナログデータと前記第２のアナログデータとは、同一タイミングで取得されたデータである監視制御方法。
【請求項１１】
請求項７または８に記載の電源装置を１または複数備え、前記電源装置が再生可能なエネルギーから発電を行う発電装置によって充電される蓄電システム。
【請求項１２】
請求項７または８に記載の電源装置を１または複数備え、前記電源装置に接続される電子機器に電力を供給する蓄電システム。
【請求項１３】
請求項７または８に記載の電源装置を１または複数備え、前記電源装置から電力の供給を受ける電子機器。
【請求項１４】
請求項７または８に記載の電源装置を１または複数備え、前記電源装置から電力の供給を受けて車両の駆動力に変換する変換装置と、前記電源装置に関する情報に基づいて、車両制御に関する情報処理を行う制御装置とを有する電動車両。
【請求項１５】
請求項７または８に記載の電源装置を１または複数備え、
他の機器とネットワークを介して信号を送受信する電力情報送受信部を備え、
前記電力情報送受信部が受信した情報に基づき、前記電源装置の充放電制御を行う電力システム。
【請求項１６】
請求項７または８に記載の電源装置を１または複数備え、
前記電源装置から電力の供給を受け、または、発電装置または電力網から前記電源装置に電力を供給する電力システム。
【請求項１７】
複数の電池の個別の電圧値を示す第１のアナログデータを、第１のデジタルデータに変換する第１の変換器と、
前記複数の電池を流れる電流の電流値を示す第２のアナログデータを、第２のデジタルデータに変換する第２の変換器とを備え、
前記第１のアナログデータが前記第１の変換器に入力される毎に、前記第２のアナログデータが前記第２の変換器に入力されるように構成された
監視装置。
【請求項１８】
前記電池は、複数のリチウムイオン二次電池が接続されてなる
請求項１，２，３，４および１７のいずれかに記載の監視装置。
【請求項１９】
複数の電池と、
前記複数の電池の個別の電圧値を示す第１のアナログデータを、第１のデジタルデータに変換する第１の変換器と、
前記複数の電池に流れる電流の電流値を示す第２のアナログデータを、第２のデジタルデータに変換する第２の変換器と、
前記第１のアナログデータが前記第１の変換器に入力される毎に、前記第２のアナログデータが前記第２の変換器に入力されるように構成された
電源装置。
【手続補正２】
【補正対象書類名】明細書
【補正対象項目名】０００７
【補正方法】変更
【補正の内容】
【０００７】
上述した課題を解決するために、本開示は、例えば、
複数の電池の個別の電圧値を示す第１のアナログデータを第１のデジタルデータに変換する第１の変換器と、
複数の電池を流れる電流の電流値を示す第２のアナログデータを第２のデジタルデータに変換する第２の変換器とを備え、
第１のアナログデータと第２のアナログデータとは、同一タイミングで取得されたデータである監視装置である。
【手続補正３】
【補正対象書類名】明細書
【補正対象項目名】０００８
【補正方法】変更
【補正の内容】
【０００８】
本開示は、例えば、
複数の電池の個別の電圧値を示す第１のアナログデータを第１のデジタルデータに変換する第１の変換器と、
複数の電池を流れる電流の電流値を示す第２のアナログデータを第２のデジタルデータに変換する第２の変換器と、
第１の変換器から供給される第１のデジタルデータと、第２の変換器から供給される第２のデジタルデータとに応じた制御を行う制御部とを備え、
第１のアナログデータと第２のアナログデータとは、同一タイミングで取得されたデータである監視制御装置である。
【手続補正４】
【補正対象書類名】明細書
【補正対象項目名】０００９
【補正方法】変更
【補正の内容】
【０００９】
本開示は、例えば、
複数の電池と、
複数の電池の個別の電圧値を示す第１のアナログデータを第１のデジタルデータに変換する第１の変換器と、
複数の電池を流れる電流の電流値を示す第２のアナログデータを第２のデジタルデータに変換する第２の変換器とを備え、
第１のアナログデータと第２のアナログデータとは、同一タイミングで取得されたデータである電源装置である。
例示した電源装置を１または複数備え、電源装置が再生可能なエネルギーから発電を行う発電装置によって充電される蓄電システムでもよい。
例示した電源装置を１または複数備え、電源装置に接続される電子機器に電力を供給する蓄電システムでもよい。
例示した電源装置を１または複数備え、電源装置から電力の供給を受ける電子機器でもよい。
例示した電源装置を１または複数備え、電源装置から電力の供給を受けて車両の駆動力に変換する変換装置と、電源装置に関する情報に基づいて、車両制御に関する情報処理を行う制御装置とを有する電動車両でもよい。
１または複数の例示した電源装置と、他の機器とネットワークを介して信号を送受信する電力情報送受信部とを備え、電力情報送受信部が受信した情報に基づき、電源装置の充放電制御を行う電力システムでもよい。
例示した電源装置を１または複数備え、電源装置から電力の供給を受け、または、発電装置または電力網から電源装置に電力を供給する電力システムでもよい。
【手続補正５】
【補正対象書類名】明細書
【補正対象項目名】００１０
【補正方法】変更
【補正の内容】
【００１０】
本開示は、例えば、
複数の電池と、
複数の電池の個別の電圧値を示す第１のアナログデータを第１のデジタルデータに変換する第１の変換器と、
複数の電池を流れる電流の電流値を示す第２のアナログデータを第２のデジタルデータに変換する第２の変換器と、
第１の変換器から供給される第１のデジタルデータと、第２の変換器から供給される第２のデジタルデータとに応じた制御を行う制御部とを備え、
第１のアナログデータと第２のアナログデータとは、同一タイミングで取得されたデータである電源装置である。
例示した電源装置を１または複数備え、電源装置が再生可能なエネルギーから発電を行う発電装置によって充電される蓄電システムでもよい。
例示した電源装置を１または複数備え、電源装置に接続される電子機器に電力を供給する蓄電システムでもよい。
例示した電源装置を１または複数備え、電源装置から電力の供給を受ける電子機器でもよい。
例示した電源装置を１または複数備え、電源装置から電力の供給を受けて車両の駆動力に変換する変換装置と、電源装置に関する情報に基づいて、車両制御に関する情報処理を行う制御装置とを有する電動車両でもよい。
１または複数の例示した電源装置と、他の機器とネットワークを介して信号を送受信する電力情報送受信部とを備え、電力情報送受信部が受信した情報に基づき、電源装置の充放電制御を行う電力システムでもよい。
例示した電源装置を１または複数備え、電源装置から電力の供給を受け、または、発電装置または電力網から電源装置に電力を供給する電力システムでもよい。
【手続補正６】
【補正対象書類名】明細書
【補正対象項目名】００１１
【補正方法】変更
【補正の内容】
【００１１】
本開示は、例えば、
第１の変換器と、第２の変換器とを備える監視装置における監視方法であり、
第１の変換器によって、複数の電池の個別の電圧値を示す第１のアナログデータが第１のデジタルデータに変換され、
第２の変換器によって、複数の電池を流れる電流の電流値を示す第２のアナログデータが第２のデジタルデータに変換され、
第１のアナログデータと第２のアナログデータとは、同一タイミングで取得されたデータである監視方法である。
【手続補正７】
【補正対象書類名】明細書
【補正対象項目名】００１２
【補正方法】変更
【補正の内容】
【００１２】
本開示は、例えば、
第１の変換器と、第２の変換器と、制御部とを備える監視制御装置における監視制御方法であり、
第１の変換器によって、複数の電池の個別の電圧値を示す第１のアナログデータが第１のデジタルデータに変換され、
第２の変換器によって、複数の電池を流れる電流の電流値を示す第２のアナログデータが第２のデジタルデータに変換され、
制御部によって、第１の変換器から供給される第１のデジタルデータと、第２の変換器から供給される第２のデジタルデータとに応じた制御が行われ、
第１のアナログデータと第２のアナログデータとは、同一タイミングで取得されたデータである監視制御方法である。
また、本開示は、例えば、
複数の電池の個別の電圧値を示す第１のアナログデータを、第１のデジタルデータに変換する第１の変換器と、
複数の電池を流れる電流の電流値を示す第２のアナログデータを、第２のデジタルデータに変換する第２の変換器とを備え、
第１のアナログデータが第１の変換器に入力される毎に、第２のアナログデータが第２の変換器に入力されるように構成された
監視装置である。
また、本開示は、例えば、
複数の電池と、
複数の電池の個別の電圧値を示す第１のアナログデータを、第１のデジタルデータに変換する第１の変換器と、
複数の電池に流れる電流の電流値を示す第２のアナログデータを、第２のデジタルデータに変換する第２の変換器と、
第１のアナログデータが第１の変換器に入力される毎に、第２のアナログデータが第２の変換器に入力されるように構成された
電源装置である。